(57)【要約】  本出願は、端末デバイスの不連続伝送の性能を向上させ、端末デバイスの消費電力をさらに低減することができる不連続伝送の方法及びデバイスを開示する。この方法は、端末デバイスが複数のＤＲＸ構成から少なくとも1つのＤＲＸ構成を決定するステップと、前記端末デバイスが前記少なくとも1つのＤＲＸ構成に従って物理下り制御チャネル（ＰＤＣＣＨ）を検出するステップを含む。
2022501869.tif 000002
【特許請求の範囲】
【請求項１】
端末デバイスが複数の不連続伝送（ＤＲＸ）構成から少なくとも1つのＤＲＸ構成を決定するステップと、
前記端末デバイスが前記少なくとも1つのＤＲＸ構成に従って物理下り制御チャネル（ＰＤＣＣＨ）を検出するステップを含む
ことを特徴とするＤＲＸの方法。
【請求項２】
前記複数のＤＲＸ構成は、同じマルチアクセス制御（ＭＡＣ）エンティティのために構成されている
ことを特徴とする請求項１に記載の方法。
【請求項３】
前記複数のＤＲＸ構成における各ＤＲＸ構成は、少なくとも１つのリソース構成に対応し、前記少なくとも１つのリソース構成は、サービングセル構成、帯域幅部分（ＢＷＰ）構成、制御リソースセット（ＣＯＲＥＳＥＴ）構成及びサーチスペース構成のうちの少なくとも１つを含み、
前記端末デバイスが前記少なくとも1つのＤＲＸ構成に従ってＰＤＣＣＨを検出するステップは、
前記端末デバイスが、前記各ＤＲＸ構成及び前記各ＤＲＸ構成に対応するリソース構成に従って前記ＰＤＣＣＨを検出するステップを含む
ことを特徴とする請求項1又は２に記載の方法。
【請求項４】
前記各ＤＲＸ構成には、前記各ＤＲＸ構成に対応するリソース構成のインデックスが含まれる
ことを特徴とする請求項３に記載の方法。
【請求項５】
前記各リソース構成には、前記各リソース構成に対応するＤＲＸ構成のインデックスが含まれる
ことを特徴とする請求項３又は４に記載の方法。
【請求項６】
前記端末デバイスが複数のＤＲＸ構成から少なくとも1つのＤＲＸ構成を決定するステップは、
前記端末デバイスが、アクティブ化及び／又は非アクティブ化されたリソース構成に従って、前記少なくとも１つのＤＲＸ構成を決定するステップを含み、前記少なくとも１つのＤＲＸ構成における各ＤＲＸ構成に対応する前記少なくとも１つのリソース構成は、アクティブ化されたリソース構成を含み、非アクティブ化されたＤＲＸ構成を含まない
ことを特徴とする請求項３から５のいずれか一項に記載の方法。
【請求項７】
前記端末デバイスが複数のＤＲＸ構成から少なくとも1つのＤＲＸ構成を決定するステップは、
前記端末デバイスが前記ネットワークデバイスから受信した指示情報に従って、前記少なくとも１つのＤＲＸ構成を決定するステップを含み、前記指示情報はアクティブ化及び／又は非アクティブ化されたＤＲＸ構成を示すために使用され、前記少なくとも１つのＤＲＸ構成は、アクティブ化されたＤＲＸ構成を含み、非アクティブ化されたＤＲＸ構成を含まない
ことを特徴とする請求項３から５のいずれか一項に記載の方法。
【請求項８】
前記指示情報は、下り制御情報（ＤＣＩ）、マルチアクセス制御制御要素（ＭＡＣ  ＣＥ）、又は無線リソース制御（ＲＲＣ）シグナリングで運ばれる
ことを特徴とする請求項７に記載の方法。
【請求項９】
前記端末デバイスが、アクティブ化されたＤＲＸ構成に対応する第１のリソース構成をアクティブ化するステップと、
前記端末デバイスが、非アクティブ化されたＤＲＸ構成に対応する第２のリソース構成を非アクティブ化するステップのうちの少なくとも１つのステップをさらに含む
ことを特徴とする請求項７又は８に記載の方法。
【請求項１０】
前記端末デバイスが、ネットワークデバイスによって送信された前記複数のＤＲＸ構成を受信するステップ、又は
前記端末デバイスが、事前に前記端末デバイスに格納されている前記複数のＤＲＸ構成を取得するステップをさらに含む
ことを特徴とする請求項１から９のいずれか一項に記載の方法。
【請求項１１】
前記各ＤＲＸ構成に対応する前記少なくとも１つのリソース構成は、同じサービングセルに属するＢＷＰ構成及び／又は異なるサービングセルに属するＢＷＰ構成を含み、及び／又は
前記少なくとも１つのリソース構成は、同じＢＷＰに属するＣＯＲＥＳＥＴ構成及び/又は異なるＢＷＰに属するＣＯＲＥＳＥＴ構成を含み、及び/又は
前記少なくとも1つのリソース構成は、同じＢＷＰに属するサーチスペース構成及び/又は異なるＢＷＰに属するサーチスペース構成を含む
ことを特徴とする請求項１から１０のいずれか一項に記載の方法。
【請求項１２】
前記各ＤＲＸ構成には、ＤＲＸ持続時間タイマー、ＤＲＸスロットオフセット、ＤＲＸ開始時間オフセット、ＤＲＸ非アクティブタイマー、ＤＲＸ上り再送信タイマー、ＤＲＸ下り再送信タイマー、ＤＲＸロングサイクル、ＤＲＸショートサイクル、ＤＲＸショートサイクルタイマー、ＤＲＸ上りハイブリッド自動再送（ＨＡＲＱ）往復時間（ＲＴＴ）タイマー、ＤＲＸ下りＨＡＲＱ−ＲＴＴタイマー、及び競合解決タイマーのうちの少なくとも１つのパラメータが含まれる
ことを特徴とする請求項１から１１のいずれか一項に記載の方法。
【請求項１３】
ネットワークデバイスが複数の不連続伝送（ＤＲＸ）構成を端末デバイスに送信するステップを含み、
前記複数のＤＲＸ構成は、物理下り制御チャネル（ＰＤＣＣＨ）を検出するための少なくとも1つのＤＲＸ構成を決定するために前記端末デバイスによって使用される
ことを特徴とするＤＲＸの方法。
【請求項１４】
前記複数のＤＲＸ構成は、同じマルチアクセス制御（ＭＡＣ）エンティティのために構成されている
ことを特徴とする請求項１３に記載の方法。
【請求項１５】
前記複数のＤＲＸ構成における各ＤＲＸ構成は、少なくとも１つのリソース構成に対応し、前記少なくとも１つのリソース構成は、サービングセル構成、帯域幅部分（ＢＷＰ）構成、制御リソースセット（ＣＯＲＥＳＥＴ）構成及びサーチスペース構成のうちの少なくとも１つを含み、
前記各ＤＲＸ構成及び前記各ＤＲＸ構成に対応するリソース構成は、前記端末デバイスによる前記ＰＤＣＣＨの検出に使用される
ことを特徴とする請求項１３又は１４に記載の方法。
【請求項１６】
前記各ＤＲＸ構成には、前記各ＤＲＸ構成に対応するリソース構成のインデックスが含まれる
ことを特徴とする請求項１５に記載の方法。
【請求項１７】
各リソース構成には、前記各リソース構成に対応するＤＲＸ構成のインデックスが含まれる
ことを特徴とする請求項１５又は１６に記載の方法。
【請求項１８】
前記ネットワークデバイスが、前記少なくとも１つのＤＲＸ構成を示すために使用される指示情報を前記端末デバイスに送信するステップをさらに含む
ことを特徴とする請求項１３から１７のいずれか一項に記載の方法。
【請求項１９】
前記指示情報は、下り制御情報（ＤＣＩ）、マルチアクセス制御制御要素（ＭＡＣ  ＣＥ）、又は無線リソース制御（ＲＲＣ）シグナリングで運ばれる
ことを特徴とする請求項１８に記載の方法。
【請求項２０】
前記各ＤＲＸ構成に対応する前記少なくとも１つのリソース構成は、同じサービングセルに属するＢＷＰ構成及び／又は異なるサービングセルに属するＢＷＰ構成を含み、及び／又は
前記少なくとも１つのリソース構成は、同じＢＷＰに属するＣＯＲＥＳＥＴ構成及び/又は異なるＢＷＰに属するＣＯＲＥＳＥＴ構成を含み、及び/又は
前記少なくとも1つのリソース構成は、同じＢＷＰに属するサーチスペース構成及び/又は異なるＢＷＰに属するサーチスペース構成を含む
ことを特徴とする請求項１３から１９のいずれか一項に記載の方法。
【請求項２１】
前記各ＤＲＸ構成には、ＤＲＸ持続時間タイマー、ＤＲＸスロットオフセット、ＤＲＸ開始時間オフセット、ＤＲＸ非アクティブタイマー、ＤＲＸ上り再送信タイマー、ＤＲＸ下り再送信タイマー、ＤＲＸロングサイクル、ＤＲＸショートサイクル、ＤＲＸショートサイクルタイマー、ＤＲＸ上りハイブリッド自動再送（ＨＡＲＱ）往復時間（ＲＴＴ）タイマー、ＤＲＸ下りＨＡＲＱ−ＲＴＴタイマー、及び競合解決タイマーのうちの少なくとも１つのパラメータが含まれる
ことを特徴とする請求項１３から２０のいずれか一項に記載の方法。
【請求項２２】
複数の不連続伝送（ＤＲＸ）構成から少なくとも1つのＤＲＸ構成を決定するように構成される処理ユニットを備え、
前記処理ユニットは、前記少なくとも1つのＤＲＸ構成に従って物理下り制御チャネル（ＰＤＣＣＨ）を検出するように構成される
ことを特徴とする端末デバイス。
【請求項２３】
前記複数のＤＲＸ構成は、同じマルチアクセス制御（ＭＡＣ）エンティティのために構成されている
ことを特徴とする請求項２２に記載の端末デバイス。
【請求項２４】
前記複数のＤＲＸ構成における各ＤＲＸ構成は、少なくとも１つのリソース構成に対応し、前記少なくとも１つのリソース構成は、サービングセル構成、帯域幅部分（ＢＷＰ）構成、制御リソースセット（ＣＯＲＥＳＥＴ）構成及びサーチスペース構成のうちの少なくとも１つを含み、
前記処理ユニットは、前記各ＤＲＸ構成及び前記各ＤＲＸ構成に対応するリソース構成に従って前記ＰＤＣＣＨを検出するように構成される
ことを特徴とする請求項２２又は２３に記載の端末デバイス。
【請求項２５】
前記各ＤＲＸ構成には、前記各ＤＲＸ構成に対応するリソース構成のインデックスが含まれる
ことを特徴とする請求項２４に記載の端末デバイス。
【請求項２６】
前記各リソース構成には、前記各リソース構成に対応するＤＲＸ構成のインデックスが含まれる
ことを特徴とする請求項２４又は２５に記載の端末デバイス。
【請求項２７】
前記処理ユニットは、アクティブ化及び／又は非アクティブ化されたリソース構成に従って、前記少なくとも１つのＤＲＸ構成を決定するように構成され、前記少なくとも１つのＤＲＸ構成における各ＤＲＸ構成に対応する前記少なくとも１つのリソース構成は、アクティブ化されたリソース構成を含み、非アクティブ化されたＤＲＸ構成を含まない
ことを特徴とする請求項２４から２６のいずれか一項に記載の端末デバイス。
【請求項２８】
前記処理ユニットは、前記ネットワークデバイスから受信した指示情報に従って、前記少なくとも１つのＤＲＸ構成を決定するように構成され、前記指示情報はアクティブ化及び／又は非アクティブ化されたＤＲＸ構成を示すために使用され、前記少なくとも１つのＤＲＸ構成は、アクティブ化されたＤＲＸ構成を含み、非アクティブ化されたＤＲＸ構成を含まない
ことを特徴とする請求項２４から２６のいずれか一項に記載の端末デバイス。
【請求項２９】
前記指示情報は、下り制御情報（ＤＣＩ）、マルチアクセス制御制御要素（ＭＡＣ  ＣＥ）、又は無線リソース制御（ＲＲＣ）シグナリングで運ばれる
ことを特徴とする請求項２８に記載の端末デバイス。
【請求項３０】
前記処理ユニットは、
アクティブ化されたＤＲＸ構成に対応する第１のリソース構成をアクティブ化するように構成され、及び／又は
非アクティブ化されたＤＲＸ構成に対応する第２のリソース構成を非アクティブ化するように構成される
ことを特徴とする請求項２８又は２９に記載の端末デバイス。
【請求項３１】
ネットワークデバイスによって送信された前記複数のＤＲＸ構成を受信するか、又は事前に前記端末デバイスに格納されている前記複数のＤＲＸ構成を取得するように構成される送受信ユニットをさらに備える
ことを特徴とする請求項２２から３０のいずれか一項に記載の端末デバイス。
【請求項３２】
前記各ＤＲＸ構成に対応する前記少なくとも１つのリソース構成は、同じサービングセルに属するＢＷＰ構成及び／又は異なるサービングセルに属するＢＷＰ構成を含み、及び／又は
前記少なくとも１つのリソース構成は、同じＢＷＰに属するＣＯＲＥＳＥＴ構成及び/又は異なるＢＷＰに属するＣＯＲＥＳＥＴ構成を含み、及び/又は
前記少なくとも1つのリソース構成は、同じＢＷＰに属するサーチスペース構成及び/又は異なるＢＷＰに属するサーチスペース構成を含む
ことを特徴とする請求項２２から３１のいずれか一項に記載の端末デバイス。
【請求項３３】
前記各ＤＲＸ構成には、ＤＲＸ持続時間タイマー、ＤＲＸスロットオフセット、ＤＲＸ開始時間オフセット、ＤＲＸ非アクティブタイマー、ＤＲＸ上り再送信タイマー、ＤＲＸ下り再送信タイマー、ＤＲＸロングサイクル、ＤＲＸショートサイクル、ＤＲＸショートサイクルタイマー、ＤＲＸ上りハイブリッド自動再送（ＨＡＲＱ）往復時間（ＲＴＴ）タイマー、ＤＲＸ下りＨＡＲＱ−ＲＴＴタイマー、及び競合解決タイマーのうちの少なくとも１つのパラメータが含まれる
ことを特徴とする請求項２２から３２のいずれか一項に記載の端末デバイス。
【請求項３４】
複数の不連続伝送（ＤＲＸ）構成を決定するように構成される処理ユニットと、
前記複数のＤＲＸ構成を端末デバイスに送信するように構成される送受信ユニットを備え、
前記複数のＤＲＸ構成は、物理下り制御チャネル（ＰＤＣＣＨ）を検出するための少なくとも1つのＤＲＸ構成を決定するために前記端末デバイスによって使用される
ことを特徴とするネットワークデバイス。
【請求項３５】
前記複数のＤＲＸ構成は、同じマルチアクセス制御（ＭＡＣ）エンティティのために構成されている
ことを特徴とする請求項３４に記載のネットワークデバイス。
【請求項３６】
前記複数のＤＲＸ構成における各ＤＲＸ構成は、少なくとも１つのリソース構成に対応し、前記少なくとも１つのリソース構成は、サービングセル構成、帯域幅部分（ＢＷＰ）構成、制御リソースセット（ＣＯＲＥＳＥＴ）構成及びサーチスペース構成のうちの少なくとも１つを含み、
前記各ＤＲＸ構成及び前記各ＤＲＸ構成に対応するリソース構成は、前記端末デバイスによる前記ＰＤＣＣＨの検出に使用される
ことを特徴とする請求項３４又は３５に記載のネットワークデバイス。
【請求項３７】
前記各ＤＲＸ構成には、前記各ＤＲＸ構成に対応するリソース構成のインデックスが含まれる
ことを特徴とする請求項３６に記載のネットワークデバイス。
【請求項３８】
各リソース構成には、前記各リソース構成に対応するＤＲＸ構成のインデックスが含まれる
ことを特徴とする請求項３６又は３７に記載のネットワークデバイス。
【請求項３９】
前記送受信ユニットは、前記少なくとも１つのＤＲＸ構成を示すために使用される指示情報を前記端末デバイスに送信するように構成される
ことを特徴とする請求項３４から３８のいずれか一項に記載のネットワークデバイス。
【請求項４０】
前記指示情報は、下り制御情報（ＤＣＩ）、マルチアクセス制御制御要素（ＭＡＣ  ＣＥ）、又は無線リソース制御（ＲＲＣ）シグナリングで運ばれる
ことを特徴とする請求項３９に記載のネットワークデバイス。
【請求項４１】
前記各ＤＲＸ構成に対応する前記少なくとも１つのリソース構成は、同じサービングセルに属するＢＷＰ構成及び／又は異なるサービングセルに属するＢＷＰ構成を含み、及び／又は
前記少なくとも１つのリソース構成は、同じＢＷＰに属するＣＯＲＥＳＥＴ構成及び/又は異なるＢＷＰに属するＣＯＲＥＳＥＴ構成を含み、及び/又は
前記少なくとも1つのリソース構成は、同じＢＷＰに属するサーチスペース構成及び/又は異なるＢＷＰに属するサーチスペース構成を含む
ことを特徴とする請求項３４から４０のいずれか一項に記載のネットワークデバイス。
【請求項４２】
前記各ＤＲＸ構成には、ＤＲＸ持続時間タイマー、ＤＲＸスロットオフセット、ＤＲＸ開始時間オフセット、ＤＲＸ非アクティブタイマー、ＤＲＸ上り再送信タイマー、ＤＲＸ下り再送信タイマー、ＤＲＸロングサイクル、ＤＲＸショートサイクル、ＤＲＸショートサイクルタイマー、ＤＲＸ上りハイブリッド自動再送（ＨＡＲＱ）往復時間（ＲＴＴ）タイマー、ＤＲＸ下りＨＡＲＱ−ＲＴＴタイマー、及び競合解決タイマーのうちの少なくとも１つのパラメータが含まれる
ことを特徴とする請求項３４から４１のいずれか一項に記載のネットワークデバイス。
【請求項４３】
プロセッサ及びメモリを備え、前記メモリはコンピュータプログラムを格納し、前記プロセッサは、前記メモリに格納されたコンピュータプログラムを呼び出して実行することで、請求項１から１２のいずれか１つに記載の方法を実行する、
ことを特徴とする端末デバイス。
【請求項４４】
プロセッサ及びメモリを備え、前記メモリはコンピュータプログラムを格納し、前記プロセッサは、前記メモリに格納されたコンピュータプログラムを呼び出して実行することで、請求項１３から２１のいずれか１つに記載の方法を実行する、
ことを特徴とするネットワークデバイス。
【請求項４５】
メモリからコンピュータプログラムを呼び出して実行することで、請求項１から１２のいずれか１つに記載の方法をチップがインストールされたデバイスに実行させるプロセッサを備える、ことを特徴とするチップ。
【請求項４６】
メモリからコンピュータプログラムを呼び出して実行することで、請求項１３から２１のいずれか１つに記載の方法をチップがインストールされたデバイスに実行させるプロセッサを備える、ことを特徴とするチップ。
【請求項４７】
請求項１から１２のいずれか一項に記載の方法をコンピュータに実行させるコンピュータプログラムを記憶する、ことを特徴とするコンピュータ読み取り可能な記憶媒体。
【請求項４８】
請求項１３から２１のいずれか一項に記載の方法をコンピュータに実行させるコンピュータプログラムを記憶する、ことを特徴とするコンピュータ読み取り可能な記憶媒体。
【請求項４９】
請求項１から１２のいずれか一項に記載の方法をコンピュータに実行させるコンピュータプログラム命令を含む、ことを特徴とするコンピュータプログラム製品。
【請求項５０】
請求項１３から２１のいずれか一項に記載の方法をコンピュータに実行させるコンピュータプログラム命令を含む、ことを特徴とするコンピュータプログラム製品。
【請求項５１】
請求項１から１２のいずれか一項に記載の方法をコンピュータに実行させる、ことを特徴とするコンピュータプログラム。
【請求項５２】
請求項１３から２１のいずれか一項に記載の方法をコンピュータに実行させる、ことを特徴とするコンピュータプログラム。
【請求項５３】
請求項２２から３３のいずれか一項に記載の端末デバイスと、請求項３４から４２のいずれか一項に記載のネットワークデバイスとを備えることを特徴とする通信システム。
【発明の詳細な説明】
【技術分野】
【０００１】
本出願の実施例は、通信分野に関し、より具体的には、不連続伝送（Discontinuous  Reception，ＤＲＸ）の方法とデバイスに関する。
【背景技術】
【０００２】
端末デバイスの省電力を考慮して、ＤＲＸメカニズムが導入されている。ネットワークデバイスは、ネットワークデバイスが事前に認識している時間に「ウェイクアップ」するように端末デバイスを構成し、ウェイクアップ時に下り制御チャネルを監視してもよく、ネットワークデバイスによって事前に認識している時間に「スリープ」するように端末デバイスを構成し、スリープ中に下り制御チャネルを監視しなくてもよい。このように、ネットワークデバイスが端末デバイスに送信されるデータを有する場合、端末デバイスのウェイクアップ時間中に当該端末デバイスをスケジュールすることができ、端末デバイスは、スリープ時間中の電力消費を削減することができる。
【０００３】
ＮＲでは、帯域幅部分（Bandwidth  Part，ＢＷＰ）が導入されている。端末デバイスは複数のＢＷＰをサポートでき、サポートされているＢＷＰを切り替えることができる。  異なるＢＷＰでスケジュールされた異なるタイプのサービスを満たすために、ネットワークデバイスは、異なるＢＷＰで異なる制御リソースセット（Control  Recourse  Set，ＣＯＲＥＳＥＴ）及びサーチスペース（Search  space）を構成することができる。この場合、端末デバイスがどのように不連続伝送の性能を向上させるとともに、端末デバイスの消費電力をさらに削減するかが緊急の課題となっている。
【発明の概要】
【発明が解決しようとする課題】
【０００４】
本出願の実施例は、端末デバイスの不連続伝送の性能を向上させ、端末デバイスの消費電力をさらに削減することができる不連続伝送の方法とデバイスを提供する。
【課題を解決するための手段】
【０００５】
第１の態様によれば、不連続伝送の方法が提供され、端末デバイスが複数のＤＲＸ構成から少なくとも1つのＤＲＸ構成を決定するステップと、前記端末デバイスが前記少なくとも1つのＤＲＸ構成に従って物理下り制御チャネル（ＰＤＣＣＨ）を検出するステップを含む。
【０００６】
第２の態様によれば、不連続伝送の方法が提供され、ネットワークデバイスが複数のＤＲＸ構成を端末デバイスに送信するステップを含み、前記複数のＤＲＸ構成は、物理下り制御チャネル（ＰＤＣＣＨ）を検出するための少なくとも1つのＤＲＸ構成を決定するために前記端末デバイスによって使用される。
【０００７】
第３の態様によれば、上記の第１の態様又は第１の態様の任意の選択可能な実現形態における方法を実行する端末デバイスが提供される。具体的に、この端末デバイスは、上記の第１の態様又は第１の態様の任意の可能な実現形態における方法を実行するための機能モジュールを備える。
【０００８】
第４の態様によれば、上記の第２の態様又は第２の態様の任意の選択可能な実現形態における方法を実行するネットワークデバイスが提供される。具体的に、このネットワークデバイスは、上記の第２の態様又は第２の態様の任意の可能な実現形態における方法を実行するための機能モジュールを備える。
【０００９】
第５の態様によれば、プロセッサ及びメモリを備える端末デバイスが提供される。前記メモリはコンピュータプログラムを格納し、前記プロセッサは、前記メモリに格納されたコンピュータプログラムを呼び出して実行することで、上記第１の態様又は第１の態様の任意の可能な実現形態における方法を実行する。
【００１０】
第６の態様によれば、プロセッサ及びメモリを備えるネットワークデバイスが提供される。前記メモリはコンピュータプログラムを格納し、前記プロセッサは、前記メモリに格納されたコンピュータプログラムを呼び出して実行することで、上記第２の態様又は第２の態様の任意の可能な実現形態における方法を実行する。
【００１１】
第７の態様によれば、上記第１の態様又は第１の態様の任意の可能な実現形態における方法を実行するチップが提供される。具体的に、前記チップは、メモリからコンピュータプログラムを呼び出して実行することで、上記第１の態様又は第１の態様の任意の可能な実現形態における方法をチップがインストールされたデバイスに実行させるプロセッサを備える。
【００１２】
第８の態様によれば、上記第２の態様又は第２の態様の任意の可能な実現形態における方法を実行するチップが提供される。具体的に、前記チップは、メモリからコンピュータプログラムを呼び出して実行することで、上記第２の態様又は第２の態様の任意の可能な実現形態における方法をチップがインストールされたデバイスに実行させるプロセッサを備える。
【００１３】
第９の態様によれば、コンピュータ読み取り可能な記憶媒体が提供され、上記第１の態様又は第１の態様の任意の可能な実現形態における方法をコンピュータに実行させるコンピュータプログラムを記憶する。
【００１４】
第１０の態様によれば、コンピュータ読み取り可能な記憶媒体が提供され、上記第２の態様又は第２の態様の任意の可能な実現形態における方法をコンピュータに実行させるコンピュータプログラムを記憶する。
【００１５】
第１１の態様によれば、コンピュータプログラム製品が提供され、上記第１の態様又は第１の態様の任意の可能な実現形態における方法をコンピュータに実行させるコンピュータプログラム命令を含む。
【００１６】
第１２の態様によれば、コンピュータプログラム製品が提供され、上記第２の態様又は第２の態様の任意の可能な実現形態における方法をコンピュータに実行させるコンピュータプログラム命令を含む。
【００１７】
第１３の態様によれば、コンピュータプログラムが提供され、コンピュータ上で実行されるとき、上記第１の態様又は第１の態様の任意の可能な実現形態における方法をコンピュータに実行させる。
【００１８】
第１４の態様によれば、コンピュータプログラムが提供され、コンピュータ上で実行されるとき、上記第２の態様又は第２の態様の任意の可能な実現形態における方法をコンピュータに実行させる。
【００１９】
第１５の態様によれば、通信システムが提供され、端末デバイスとネットワークデバイスを備える。
【００２０】
前記端末デバイスは、複数のＤＲＸ構成から、使用されるターゲットＤＲＸ構成を決定し、前記ターゲットＤＲＸ構成は一つ又は複数のＤＲＸ構成を含み、前記ターゲットＤＲＸ構成に基づいて、物理下り制御チャネル（ＰＤＣＣＨ）を検出する。
【００２１】
前記ネットワークデバイスは、複数のＤＲＸ構成を決定し、前記複数のＤＲＸ構成は、使用されるターゲットＤＲＸ構成を決定するために端末デバイスによって使用され、前記ターゲットパラメータセットは一つ又は複数のＤＲＸ構成を含み、前記ターゲットＤＲＸ構成は、物理下り制御チャネル（ＰＤＣＣＨ）を検出するために前記端末デバイスによって使用され、前記ネットワークデバイスは、複数のＤＲＸ構成の情報を含み構成情報を前記端末デバイスに送信する。
【００２２】
前記端末デバイスは上記第１の態様又は第１の態様の任意の可能な実現形態における方法を実行し、前記ネットワークデバイスは上記第２の態様又は第２の態様の任意の可能な実現形態における方法を実行する。
【００２３】
上記の技術的解決策に基づいて、例えば同じＭＡＣエンティティに対して複数のＤＲＸ構成を構成することにより、端末デバイスは、複数のＤＲＸ構成から適切なＤＲＸ構成を柔軟に選択でき、選択されたＤＲＸ構成に基づいてＰＤＣＣＨを検出し、それによって端末デバイスの不連続伝送の性能を向上させるとともに、端末デバイスの消費電力をさらに削減する。
【図面の簡単な説明】
【００２４】
【図１】本出願の実施例による無線通信システムの概略図である。
【図２】ＤＲＸサイクルの概略図である。
【図３】本出願の実施例の不連続伝送の方法の概略フローチャートである。
【図４】本出願の実施例におけるＤＲＸ構成とリソース構成との対応関係の概略図である。
【図５】本出願の実施例の不連続伝送の方法の概略フローチャートである。
【図６】本出願の実施例の端末デバイスの概略ブロック図である。
【図７】本出願の実施例のネットワークデバイスの概略ブロック図である。
【図８】本出願の実施例の通信デバイスの概略構造図である。
【図９】本出願の実施例のチップの概略構造図である。
【図１０】本出願の実施例の通信システムの概略構造図である。
【発明を実施するための形態】
【００２５】
以下、本出願の実施例における解決策を、本出願の実施例における図面と併せて説明するが、説明される実施例は、すべての実施例ではなく、本出願の実施例の一部であることは明らかである。本出願の実施例に基づいて、創造的な作業なしに当業者によって得られる他のすべての実施例は、いずれも本出願の保護範囲内にある。
【００２６】
本出願の実施例の解決策は、例えばグローバルモバイル通信（Global  System  of  Mobile  communication,ＧＳＭ）システム、符号分割多元接続（Code  Division  Multiple  Access,ＣＤＭＡ）システム、広帯域符号分割多元接続（Wideband  Code  Division  Multiple  Access,ＷＣＤＭＡ）システム、汎用パケット無線サービス（General  Packet  Radio  Service,ＧＰＲＳ）、ロングタームエボリューション（Long  Term  Evolution,ＬＴＥ）システム、ＬＴＥ周波数分割複信（Frequency  Division  Duplex,ＦＤＤ）システム、ＬＴＥ時分割複信（Time  Division  Duplex,ＴＤＤ）システム、アドバンスドロングタームエボリューション（Advanced  long  term  evolution,ＬＴＥ−Ａ）システム、新しい無線（New  Radio，ＮＲ）システム、ＮＲシステムの進化システム、アンライセンススペクトルでのＬＴＥ（LTE-based  access  to  unlicensed  spectrum，ＬＴＥ−Ｕ）、アンライセンススペクトルでのＮＲ（NR-based  access  to  unlicensed  spectrum，ＮＲ−Ｕ）システム、ユニバーサル移動通信システム（Universal  Mobile  Telecommunication  System,ＵＭＴＳ）、マイクロ波アクセス用世界的相互運用性（Worldwide  Interoperability  for  Microwave  Access,ＷｉＭＡＸ）通信システム、ワイヤレスローカルエリアネットワーク（Wireless  Local  Area  Networks，ＷＬＡＮ）、ワイヤレスフィデリティ（Wireless  Fidelity，ＷｉＦｉ）、次世代通信システム、又はその他の通信システム等の様々な通信システムに適用することができる。
【００２７】
一般的に、従来の通信システムは限られた数の接続をサポートし、実装が容易であるが、通信技術の開発により、モバイル通信システムは従来の通信をサポートするだけでなく、例えばデバイス間（Device  to  Device，Ｄ２Ｄ）通信、マシン間（Machine  to  Machine，Ｍ２Ｍ）通信、マシンタイプ通信（Machine  Type  Communication，ＭＴＣ）、及び車両間（Vehicle  to  Vehicle，Ｖ２Ｖ）通信などもサポートすることになり、本出願の実施例は、これらの通信システムにも適用できる  。
【００２８】
オプションとして、本出願の実施例における通信システムは、キャリアアグリゲーション（Carrier  Aggregation，ＣＡ）シナリオに適用することができ、デュアル接続（Dual  Connectivity，ＤＣ）シナリオにも適用することができ、スタンドアロン（Standalone，ＳＡ）展開シナリオにも適用することができる。
【００２９】
例示的に、本出願の実施例で適用される通信システム１００が図１に示されている。  この通信システム１００は、ネットワークデバイス１１０を含むことができる。ネットワークデバイス１１０は、端末デバイスと通信するデバイスであってもよい。ネットワークデバイス１１０は、特定の地理的領域に通信カバレッジを提供することができ、このカバレッジ領域内の端末デバイスと通信することができる。オプションとして、このネットワークデバイス１１０は、ＧＳＭシステム又はＣＤＭＡシステムにおける基地局（Base  Transceiver  Station,ＢＴＳ）であってもよいし、ＷＣＤＭＡシステムにおける基地局（NodeB,ＮＢ）であってもよく、また、ＬＴＥシステムにおける進化型基地局（Evolutional  Node  B,ｅＮＢ又はｅＮｏｄｅＢ）、又はＮＲシステムにおけるネットワーク側デバイス、又はクラウド無線アクセスネットワーク（Cloud  Radio  Access  Network,ＣＲＡＮ）における無線コントローラであってもよく、又はこのネットワークデバイスは、中継局、アクセスポイント、車載デバイス、ウェアラブルデバイス、次世代ネットワークにおけるネットワーク側デバイス、又は未来進化の公衆地上移動ネットワーク（Public  Land  Mobile  Network,ＰＬＭＮ）におけるネットワークデバイス等であってもよい。
【００３０】
この通信システム１００は、ネットワークデバイス１１０のカバレッジ内の少なくとも１つの端末デバイス１２０をさらに含む。ここで使用される「端末デバイス」として、公衆電話交換網（Public  Switched  Telephone  Networks,ＰＳＴＮ）、デジタル加入者線（Digital  Subscriber  Line,ＤＳＬ）、デジタルケーブル、直接ケーブル接続などの有線回線を介して接続された端末デバイスが含まれるが、これに限定されず、及び/又は別のデータ接続/ネットワーク、及び/又はセルラーネットワーク、無線ローカルエリアネットワーク（Wireless  Local  Area  Network,ＷＬＡＮ）、ＤＶＢ−ＨネットワークなどのデジタルＴＶネットワーク、衛星ネットワーク、ＡＭ−ＦＭ放送送信機などの無線インターフェイスを介して接続された端末デバイス、及び/又は通信信号を受信/送信するように設定された別の端末デバイスの装置、及び/又はモノのインターネット（Internet  of  Things,ＩｏＴ）デバイスも含まれる。無線インターフェースを介して通信するように設定された端末デバイスは、「無線通信端末」、「無線端末」又は「モバイル端末」と呼ばれてもよい。
【００３１】
端末デバイス１２０は可動的であっても固定的であってもよい。  オプションとして、端末デバイス１２０は、アクセス端末、ユーザーデバイス（User  Equipment,ＵＥ）、ユーザーユニット、ユーザーステーション、モバイルステーション、移動局、リモートステーション、リモート端末、モバイルデバイス、ユーザー端末、端末、無線通信デバイス、ユーザーエージェント、又はユーザー装置を指すことができる。アクセス端末は、携帯電話、コードレス電話、セッション開始プロトコル（Session  Initiation  Protocol,ＳＩＰ）電話、ワイヤレスローカルループ（Wireless  Local  Loop,ＷＬＬ）ステーション、パーソナルデジタルアシスタント（Personal  Digital  Assistant,ＰＤＡ）、無線通信機能を備えたハンドヘルドデバイス、コンピューティングデバイス又は無線モデムに接続された他の処理デバイス、車載デバイス、ウェアラブルデバイス、将来５Ｇネットワークにおける端末デバイス、又は将来進化のＰＬＭＮにおける端末デバイスなどであってよい。オプションとして、端末デバイス１２０の間で端末直接接続（Device  to  Device,Ｄ２Ｄ）通信が実行されてもよい。
【００３２】
具体的には、ネットワークデバイス１１０は、セルにサービスを提供することができ、端末デバイス１２０は、セルによって使用される伝送リソース（例えば、周波数領域リソース、又はスペクトルリソース）を介してネットワークデバイス１１０と通信する。前記セルは、ネットワークデバイス１１０（例えば、基地局）に対応するセルであってよく、セルはマクロ基地局又はスモールセル（Small  cell）に対応する基地局に属することができる。ここでのスモールセルは、メトロセル（Metro  cell）、マイクロセル（Micro  cell）、ピコセル（Pico  cell）、フェムトセル（Femto  cell）などを含むことができる。これらのスモールセルは、カバレッジが小さく、送信電力が低いという特徴があり、高速データ伝送サービスの提供に適している。
【００３３】
図１は、１つのネットワークデバイス及び２つの端末デバイスを例示的に示し、オプションとして、この無線通信システム１００は、複数のネットワークデバイスを含んでもよく、各ネットワークデバイスのカバレッジ内に他の数の端末デバイスを含んでもよく、本出願の実施例はこれを限定しない。オプションとして、この無線通信システム１００は、ネットワークコントローラ、モビリティ管理エンティティなどの他のネットワークエンティティをさらに含み得る。本出願の実施例はこれを限定しない。
【００３４】
マルチアクセス制御（Media  Access  Control，ＭＡＣ）エンティティ（MAC  entity）は、無線リソース制御（Radio  Resource  Control，ＲＲＣ）によってＤＲＸ機能が構成され、物理下り制御チャネル（Physical  Downlink  Control  Channel，ＰＤＣＣＨ）を監視する端末デバイスの動作を制御するために使用される。例えば、図２に示すように、ＲＲＣ接続（RRC  CONNECTED）モードでは、端末デバイスにＤＲＸ機能が構成されている場合、ＭＡＣエンティティはウェイクアップ期間（On  Duration）中にＰＤＣＣＨを継続的に監視し、スリープ期間（Opportunity  for  DRX）中にＰＤＣＣＨを監視しないことで、端末デバイスの消費電力が削減される。ネットワークデバイスは、ＲＲＣシグナリングを介してＭＡＣエンティティのためにＤＲＸパラメータのセットを設定することにより、端末デバイスのウェイクアップ状態とスリープ状態を管理できる。これらのパラメータの値に応じて、図２に示すＤＲＸサイクルを取得できる。
【００３５】
ＮＲでは、ＢＷＰが導入されている。接続状態の端末デバイスは、ダウンリンクで最大4つのＢＷＰ、アップリンクで最大4つのＢＷＰをサポートできる。同時に、端末デバイスは一度に最大1つのＢＷＰを使用する。端末デバイスはＢＷＰを切り替えることができ、例えば、ネットワークデバイスは、下り制御情報（Download  Control  Information，ＤＣＩ）を送信することにより、端末デバイスを動的に制御して下りＢＷＰ又は上りＢＷＰを切り替えることができる。これにより、スケジューリングの柔軟性と消費電力の節約という目的を達成することができる。また、下りＢＷＰの場合、各端末デバイスの専用ＢＷＰに対して制御リソースセット（Control  Recourse  Set，ＣＯＲＥＳＥＴ）及びサーチスペース（Search  space）を構成できるため、端末デバイスは当該ＢＷＰで物理下り制御チャネル（Physical  Downlink  Control  Channel，ＰＤＣＣＨ）を検出できる。
【００３６】
現在、ＤＲＸパラメータはＭＡＣエンティティごとに設定されている。つまり、ＤＲＸパラメータはすべてのＢＷＰに設定されているＣＯＲＥＳＥＴ及びサーチスペースに適用できる。一つのＤＲＸサイクル（DRX  cycle）では、端末デバイスがＤＲＸアクティブ期間（DRX  active  time）にある場合、現在アクティブ化されている下りＢＷＰ上のＰＤＣＣＨが伝送される可能性のあるすべての位置をブラインド検出する必要があり、ＰＤＣＣＨが伝送される可能性のある任意の位置でＰＤＣＣＨが検出され、且つ当該ＰＤＣＣＨが新しい上り又は下りデータをスケジュールする場合、ＤＲＸアクティベーションタイマー（drx-InactivityTimer）が再起動される。
【００３７】
以上から分かるように、ＤＲＸパラメータの設定が十分に柔軟でないため、さまざまなＢＷＰでのサービス伝送要件を満たすことが難しい。例えば、一つのＢＷＰで、ネットワークデバイスは、遅延に敏感なサービスをスケジューリングするために前記ＢＷＰが使用されることを期待し得、この場合、ネットワークデバイスは、前記ＢＷＰ上のサーチスペースのために比較的短いサイクルを構成し得る。別のＢＷＰで、ネットワークデバイスは、前記ＢＷＰが高レート要件を伴うサービスをスケジュールするために使用されることを期待し得、この場合、ネットワークデバイスは、前記ＢＷＰ上のサーチスペースに対して比較的長いサイクルを構成し得る。しかし、前記ＤＲＸパラメータはＭＡＣエンティティごとに設定されているため、端末デバイスのＢＷＰを切り替えても、前記ＤＲＸパラメータは前記ＢＷＰ上のサービス伝送要件を満たすことができない。
【００３８】
従って、本出願の実施例は、複数のＤＲＸ構成を設定できることを提案し、例えば、複数のＤＲＸ構成を１つのＭＡＣエンティティに対して構成することで、端末デバイスは、これらの複数のＤＲＸ構成から適切なＤＲＸ構成を柔軟に選択でき、選択されたＤＲＸ構成に基づいてＰＤＣＣＨを検出するため、端末デバイスの不連続伝送のパフォーマンスが向上し、端末デバイスの消費電力がさらに削減される。
【００３９】
本出願の実施例に記載されている検出は、モニタリング、傍受、センス、及び監視などと呼ばれてもよいことを理解されたい。
【００４０】
図３は、本出願の実施例による不連続伝送方法３００の概略フローチャートである。図３に示す方法は、端末デバイスによって実行されることができ、端末デバイスは、例えば、図１に示す端末デバイス１２０であり得る。図３に示すように、この不連続伝送方法３００は、以下のステップを含む。
【００４１】
ステップ３１０では、端末デバイスが複数のＤＲＸ構成から少なくとも1つのＤＲＸ構成を決定する。
【００４２】
ステップ３２０では、端末デバイスは前記少なくとも1つのＤＲＸ構成に従ってＰＤＣＣＨを検出する。
【００４３】
具体的には、端末デバイスによる不連続伝送に使用できる複数のＤＲＸ構成を設定することができ、例えば、複数のＤＲＸ構成を１つのＭＡＣエンティティに構成することで、端末デバイスは、これらの複数のＤＲＸ構成から適切なＤＲＸ構成を選択して利用されるＤＲＸとすることができ、選択されたＤＲＸ構成における各ＤＲＸパラメーターに基づいてＰＤＣＣＨを検出する。
【００４４】
ここで、各ＤＲＸ構成は、例えば、以下のパラメータのうちの少なくとも１つを含み得る。
【００４５】
ＤＲＸサイクルの開始からの持続時間を示すＤＲＸ持続時間タイマー（drx-onDurationTimer）、
drx-onDurationTimerを開始した後のスロットオフセットを示すＤＲＸスロットオフセット（drx-SlotOffset）、
ＤＲＸサイクルが開始するサブフレームを示すＤＲＸ開始時間オフセット（drx-StartOffset）、
ＰＤＣＣＨオケージョン（PDCCH  occasion）後の持続時間長を示すＤＲＸ非アクティブタイマー（drx-InactivityTimer）、ここで、前記ＰＤＣＣＨはＭＡＣエンティティに対する一回の新しい上り又は下り伝送を示し、
下り再送信が受信さえるまでの最大持続時間長（各下りハイブリッド自動再送（Hybrid  Automatic  Repeat  reQuest，ＨＡＲＱ）プロセス）を示すＤＲＸ上り再送信タイマー（drx-RetransmissionTimerDL）、
上り再送信の許可が受信されるまでの最大持続時間長（各上りＨＡＲＱプロセス）を示すＤＲＸ下り再送信タイマー（drx-RetransmissionTimerUL）、
長いＤＲＸサイクルを示すＤＲＸロングサイクル（drx-LongCycle）、
短いＤＲＸサイクルを示すＤＲＸショートサイクル（drx-ShortCycle）、
UEがＤＲＸショートサイクルを利用する持続時間長を示すＤＲＸショートサイクルタイマー（drx-ShortCycleTimer）、
下り再送信のための下り割り当てがＭＡＣエンティティによって期待されるまでの最小持続時間長を示すＤＲＸ上りＨＡＲＱ往復時間（Round-Trip  Time，ＲＴＴ）タイマー（drx-HARQ-RTT-TimerDL）、
上り再送信許可がＭＡＣエンティティによって期待されるまでの最小持続時間長を示すＤＲＸ下りＨＡＲＱ−ＲＴＴタイマー（drx-HARQ-RTT-TimerUL）、
競合解決タイマー（mac-ContentionResolutionTimer）。
【００４６】
オプションとして、ステップ３１０の前に、この方法は、端末デバイスがネットワークデバイスによって送信された前記複数のＤＲＸ構成を受信するステップ、又は、端末デバイスが事前に端末デバイスに格納されている前記複数のＤＲＸ構成を取得するステップをさらに含み得る。
【００４７】
即ち、前記複数のＤＲＸ構成は、ネットワークデバイスによって構成され得る。つまり、ネットワークデバイスによって決定され、端末デバイスに送信され得る。或いは、前記複数のＤＲＸ構成は、例えば、プロトコルにおいて事前に合意されるように、事前構成され得る。
【００４８】
オプションで、前記複数のＤＲＸ構成の各ＤＲＸ構成は、少なくとも1つのリソース構成に対応する。ここで、オプションとして、前記少なくとも１つのリソース構成は、サービングセル（serving  cell）構成、ＢＷＰ構成、ＣＯＲＥＳＥＴ構成、及びサーチスペース構成のうちの少なくとも１つを含む。
【００４９】
ここで、ステップ３２０において、端末デバイスが前記少なくとも１つのＤＲＸ構成に従ってＰＤＣＣＨを検出するステップは、端末デバイスが前記各ＤＲＸ構成及び前記各ＤＲＸ構成に対応するリソース構成に従って前記ＰＤＣＣＨを検出するステップを含む。
【００５０】
具体的には、端末デバイスがあるリソース構成をＰＤＣＣＨ検出に使用する場合、前記ＰＤＣＣＨ検出に使用されるＤＲＸ構成は、前記リソース構成に対応するＤＲＸ構成である必要がある。言い換えれば、端末デバイスがあるＤＲＸ構成をＰＤＣＣＨ検出に使用する場合、前記ＰＤＣＣＨ検出に使用されるリソース構成は、前記ＤＲＸ構成に対応するリソース構成である必要がある。例えば、各ＤＲＸ構成は、Ｋ１個のサービングセル構成、及び/又はＫ２個のＢＷＰ構成、及び/又はＫ３個のＣＯＲＥＳＥＴ構成、及び/又はＫ４個のサーチスペース構成に対応する。ここで、Ｋ１、Ｋ２、Ｋ３、及びＫ４は正の整数である。
【００５１】
ＰＤＣＣＨ検出のためのリソース構成、例えばＢＷＰ構成などは、さまざまなサービスの伝送要件を満たすように柔軟に切り替えることができる。したがって、本出願の実施例では、端末デバイスは、前記リソース構成に対応するＤＲＸ構成を選択してＰＤＣＣＨ検出を実行することによって、異なるリソース構成でのサービス伝送要件を満たし、端末デバイスの不連続伝送の性能が向上し、端末デバイスの消費電力がさらに削減される。
【００５２】
例えば、リソース構成がＢＷＰ構成である例によると、ＤＲＸ構成とＢＷＰの対応関係は表１に示されている。ＤＲＸ構成１はＢＷＰ１及びＢＷＰ２に対応するため、端末デバイスはＤＲＸ構成１に基づいてＢＷＰ１又はＢＷＰ２でＰＤＣＣＨ検出を実行でき、ＤＲＸ構成２はＢＷＰ３に対応するため、端末デバイスはＤＲＸ構成２に基づいてＢＷＰ３でＰＤＣＣＨ検出を実行でき、…、ＤＲＸ構成ＭはＢＷＰＮに対応するため、端末デバイスはＤＲＸ構成Ｍに基づいてＢＷＰＮでＰＤＣＣＨ検出を実行できる。
【００５３】
【表１】
2022501869.tif 000003
【００５４】
別の例として、リソース構成がサービングセル構成である例によると、ＤＲＸ構成とサービングセルの対応関係が表２に示されている。ＤＲＸ構成１はサービングセル１に対応し、端末デバイスのサービングセルがサービングセル１である場合、ＤＲＸ構成１に基づいてサービングセル１でＰＤＣＣＨ検出を実行でき、ＤＲＸ構成２はサービングセル２に対応し、端末デバイスのサービングセルがサービングセルセル２である場合、ＤＲＸ構成２に基づいてサービングセル２でＰＤＣＣＨ検出を実行でき、…、ＤＲＸ構成ＭはサービングセルＫに対応し、端末デバイスのサービングセルがサービングセルＫである場合、ＤＲＸ構成Ｍに基づいてサービングセルＫでＰＤＣＣＨ検出を実行できる。
【００５５】
【表２】
2022501869.tif 000004
【００５６】
各ＤＲＸ構成は、少なくとも１つのリソース構成に対応でき、さらに、前記少なくとも１つのリソース構成は、異なるタイプのリソース構成を含み得る。例えば、あるＤＲＸ構成は、１つのサービングセル構成及び少なくとも１つのＢＷＰ構成に対応できる。端末デバイスのサービングセルが前記サービングセルである場合、ＰＤＣＣＨ検出は、前記ＤＲＸ構成に対応する前記少なくとも１つのＢＷＰで前記ＤＲＸ構成に基づいて実行され得る。
【００５７】
そして、オプションとして、各ＤＲＸ構成に対応する少なくとも１つのリソース構成は、同じサービングセルに属するＢＷＰ構成及び／又は異なるサービングセルに属するＢＷＰ構成を含み得る。及び／又は、各ＤＲＸ構成に対応する少なくとも１つのリソース構成は、同じＢＷＰに属するＣＯＲＥＳＥＴ構成及び/又は異なるＢＷＰに属するＣＯＲＥＳＥＴ構成を含み得る。及び/又は、各ＤＲＸ構成に対応する少なくとも1つのリソース構成は、同じＢＷＰに属するサーチスペース構成及び/又は異なるＢＷＰに属するサーチスペース構成を含み得る。
【００５８】
例えば、表３に示すように、ＤＲＸ構成１はサービングセル１のＢＷＰ１とＢＷＰ２に対応し、ＤＲＸ構成２はサービングセル１のＢＷＰ３及びサービングセル２のＢＷＰ３に対応し、ＤＲＸ構成３はサービングセル２のＢＷＰ１とＢＷＰ２に対応し、...  、ＤＲＸ構成Ｍは、サービングセルＫのＢＷＰＮに対応する。端末デバイスは、ＤＲＸ構成１を使用してサービングセル１のＢＷＰ１又はＢＷＰ２でＰＤＣＣＨ検出を実行してもよく、ＤＲＸ構成２を使用してサービングセル１のＢＷＰ３とサービングセル２のＢＷＰ３で同時にＰＤＣＣＨ検出を実行してもよく、ＤＲＸ構成３を使用してサービングセル２のＢＷＰ１又はＢＷＰ２でＰＤＣＣＨ検出を実行してもよい。
【００５９】
【表３】
2022501869.tif 000005
【００６０】
図４を参照すると、表３のサービングセル１のＢＷＰ１とサービングセル２のＢＷＰ１を例にとると、サービングセル１のＢＷＰ１はＤＲＸ構成１に対応し、サービングセル２のＢＷＰ１はＤＲＸ構成３に対応する。ＤＲＸ構成１及びＤＲＸ構成３は、それぞれ、図４の上部及び下部に示されるＤＲＸサイクルに対応し、ここで、ＤＲＸ構成１のOn  Durationの時間長はＴ１であり、ＤＲＸ構成３のOn  Durationの時間長は、Ｔ１  +Ｔ２である。Ｔ１期間内、端末デバイスはサービングセル１のＢＷＰ１とサービングセル２のＢＷＰ１でＰＤＣＣＨ検出を実行できるが、Ｔ２期間内、端末デバイスはサービングセル２のＢＷＰ１でのみＰＤＣＣＨ検出を実行できる。
【００６１】
別の例として、表４に示すように、ＤＲＸ構成１はＢＷＰ１のＣＯＲＥＳＥＴ1に対応し、ＤＲＸ構成２はＢＷＰ１のＣＯＲＥＳＥＴ２に対応し、ＤＲＸ構成３はＢＷＰ１のＣＯＲＥＳＥＴ３に対応し、ＤＲＸ構成４はＢＷＰ２のＣＯＲＥＳＥＴ１、ＣＯＲＥＳＥＴ２、及びＣＯＲＥＳＥＴ３に対応し、ＤＲＸ構成ＭはＢＷＰＮのＣＯＲＥＳＥＴ１、ＣＯＲＥＳＥＴ２、及びＣＯＲＥＳＥＴ３に対応する。
【００６２】
【表４】
2022501869.tif 000006
【００６３】
上記の各ＤＲＸ構成に対応する少なくとも１つのリソース構成は、マッピングテーブルによって具体化されてよく、このマッピングテーブルは、プロトコルによって規定されてもよく、ネットワークデバイスによって端末デバイスに構成されてもよい。或いは、ＤＲＸ構成とリソース構成の対応関係は、テーブル、式、パターンなどの他の任意の方法で具体化されてもよい。例えば、前記各ＤＲＸ構成は、前記各ＤＲＸ構成に対応するリソース構成のインデックスを含み得、端末デバイスは各ＤＲＸ構成を取得したら、前記ＤＲＸ構成に対応するリソース構成を知ることができ、及び／又は、各リソース構成は、前記各リソース構成に対応するＤＲＸ構成のインデックスを含み得、端末デバイスは各リソース構成を取得したら、前記リソース構成に対応するＤＲＸ構成を知ることができる。
【００６４】
例えば、表３を例にとると、ＤＲＸ構成1はさまざまなＤＲＸパラメータに加えて、サービングセルインデックス１、ＢＷＰインデックス１、及びＢＷＰインデックス２も有するため、端末デバイスは、当該ＤＲＸ構成がインデックス１で示されるサービングセルに対応すること、及び当該ＤＲＸ構成がインデックス１及びインデックス２で示されるＢＷＰに対応することを識別できる。
【００６５】
本出願の実施例は、前記複数のＤＲＸ構成から使用される前記少なくとも１つのＤＲＸ構成を決定するための以下の２つの方法を提供する。
【００６６】
方法１
オプションとして、ステップ３１０において、端末デバイスは、複数のＤＲＸ構成から少なくとも１つのＤＲＸ構成を決定するステップは、端末デバイスがアクティブ化及び／又は非アクティブ化されたリソース構成に従って、前記少なくとも１つのＤＲＸ構成を決定するステップを含み、ここで、前記少なくとも１つのＤＲＸ構成内の各ＤＲＸ構成に対応する前記少なくとも１つのリソース構成は、アクティブ化されたリソース構成を含み、非アクティブ化されたＤＲＸ構成を含まない。
【００６７】
方法１で、端末デバイスは、現在のリソース構成のアクティブ化状態及び／又は非アクティブ化状態に従って使用されるＤＲＸ構成を決定することができ、端末デバイスは、アクティブ化されたリソース構成に対応するＤＲＸ構成が前記少なくとも1つのＤＲＸ構成に属し、非アクティブ化されたリソース構成に対応するＤＲＸ構成が前記少なくとも1つのＤＲＸ構成に属していないと決定できる。端末デバイスは、ＰＤＣＣＨ検出に使用されるＤＲＸ構成として、前記複数のＤＲＸ構成からアクティブ化されたリソース構成に対応するＤＲＸ構成を選択することができる。
【００６８】
例えば、表２に示すマッピング関係を使用すると、サービングセル１がアクティブ化される場合、サービングセル１に対応するＤＲＸ構成１もアクティブ化されるため、端末デバイスは前記ＤＲＸ構成１を使用してサービングセル１でＰＤＣＣＨ検出を実行できる。サービングセル２がアクティブ化されるとともに、サービングセル１が非アクティブ化される場合、サービングセル２に対応するＤＲＸ構成２もアクティブ化され、サービングセル１に対応するＤＲＸ構成１が非アクティブ化されるため、端末デバイスは前記ＤＲＸ構成２を使用してサービングセル２でＰＤＣＣＨ検出を実行でき、サービングセル１でＤＲＸ構成1を使用してＰＤＣＣＨ検出を実行することはない。
【００６９】
別の例として、表３に示すマッピング関係を使用すると、サービングセル１のＢＷＰ１及び/又はＢＷＰ２がアクティブ化される場合、端末デバイスはＤＲＸ構成１をアクティブ化するため、ＤＲＸ構成１を使用してサービングセル１のＢＷＰ１及び/又はＢＷＰ２でＰＤＣＣＨ検出を実行できる。サービングセル１がアクティブ化されるとともに、ＢＷＰ３がアクティブ化される場合、端末デバイスはＤＲＸ構成２をアクティブ化するため、ＤＲＸ構成２を使用してサービングセル１のＢＷＰ３でＰＤＣＣＨ検出を実行できる。サービングセル２がアクティブ化されるとともに、ＢＷＰ３がアクティブ化される場合、端末デバイスはＤＲＸ構成２をアクティブ化するため、ＤＲＸ構成２を使用してサービングセル２のＢＷＰ３でＰＤＣＣＨ検出を実行できる。サービングセル２のＢＷＰ１及び/又はＢＷＰ２がアクティブ化される場合、端末デバイスはＤＲＸ構成３をアクティブ化するので、ＤＲＸ構成３を使用してサービングセル２のＢＷＰ１及び／又はＢＷＰ２でＰＤＣＣＨ検出を実行することができる。同様に、あるサービングセル又はＢＷＰが非アクティブ化されると、それに対応するＤＲＸ構成も非アクティブ化される。
【００７０】
方法２
オプションとして、ステップ３１０において、端末デバイスが複数のＤＲＸ構成から少なくとも１つのＤＲＸ構成を決定するステップは、端末デバイスがネットワークデバイスから受信した指示情報に従って前記少なくとも１つのＤＲＸ構成を決定するステップを含む。ここで、前記指示情報は、アクティブ化及び／又は非アクティブ化されたＤＲＸ構成を示すために使用され、前記少なくとも１つのＤＲＸ構成は、アクティブ化されたＤＲＸ構成を含み、非アクティブ化されたＤＲＸ構成を含まない。
【００７１】
方法２では、ネットワークデバイスは、アクティブ化又は非アクティブ化する必要があるＤＲＸ構成を示すために指示情報を送信することができ、ネットワークデバイスは、１つ又は複数のＤＲＸ構成をアクティブ化又は非アクティブ化することを同時に指示することができる。端末デバイスは、アクティブ化されたＤＲＸ構成と対応するリソース構成を使用してＰＤＣＣＨを検出でき、非アクティブ化されたＤＲＸ構成と対応するリソース構成を使用してＰＤＣＣＨを検出することはない。
【００７２】
前記指示情報は、例えば、ＤＣＩ、ＭＡＣ  ＣＥ、又はＲＲＣシグナリングで運ばれ得る。
【００７３】
本出願の実施例で、前記アクティブ化されたＤＲＸ構成とは、端末デバイスが前記ＤＲＸ構成に基づいてＰＤＣＣＨを検出する必要があること、即ち、端末デバイスが前記アクティブ化されたＤＲＸ構成におけるパラメータで規定された動作に従ってＰＤＣＣＨを検出する必要があることを意味することを理解されたい。前記非アクティブ化されたＤＲＸ構成とは、端末デバイスが前記ＤＲＸ構成に基づいてＰＤＣＣＨを検出する必要がないこと、即ち、端末デバイスが前記非アクティブ化されたＤＲＸ構成におけるパラメータで規定された動作に従ってＰＤＣＣＨを検出する必要がないことを意味する。
【００７４】
さらに、オプションとして、この方法は、端末デバイスがアクティブ化されたＤＲＸ構成に対応する第１のリソース構成をアクティブ化するステップ、及び／又は、端末デバイスは、非アクティブ化されたＤＲＸ構成に対応する第２のリソース構成を非アクティブ化するステップをさらに含む。
【００７５】
つまり、端末デバイスは、アクティブ化する必要のあるＤＲＸ構成を決定した後、前記ＤＲＸ構成をアクティブ化し、前記ＤＲＸ構成に対応するリソース構成をアクティブ化する。端末デバイスは、非アクティブ化する必要のあるＤＲＸ構成を決定した後、前記ＤＲＸ構成を非アクティブ化し、前記ＤＲＸ構成に対応するリソース構成を非アクティブ化する。
【００７６】
例えば、表１に示すマッピング関係を使用すると、ＤＲＸ構成１がアクティブ化される場合、サービングセル１に対応するＢＷＰ１とＢＷＰ２もアクティブ化されるため、端末デバイスは前記ＤＲＸ構成１を使用してＢＷＰ１又はＢＷＰ２でＰＤＣＣＨ検出を実行できる。ＤＲＸ構成２がアクティブ化されるとともに、ＤＲＸ構成１が非アクティブ化される場合、ＤＲＸ構成２に対応するＢＷＰ  ３もアクティブ化され、ＤＲＸ構成１に対応するＢＷＰ１とＢＷＰ２が非アクティブ化されるため、端末デバイスは、前記ＤＲＸ構成２を使用してＢＷＰ３でＰＤＣＣＨ検出を実行できるが、ＤＲＸ構成１を使用してＢＷＰ１及びＢＷＰ２でＰＤＣＣＨ検出を実行することはない。
【００７７】
図５は、本出願の実施例による不連続伝送方法５００の概略フローチャートである。図５に示される方法は、ネットワークデバイスによって実行され得、前記ネットワークデバイスは、例えば、図１に示されるネットワークデバイス１１０であり得る。図５に示すように、不連続伝送方法５００は、以下のステップを含む。
【００７８】
ステップ５１０では、ネットワークデバイスは複数のＤＲＸ構成を端末デバイスに送信し、前記複数のＤＲＸ構成は、物理下り制御チャネル（ＰＤＣＣＨ）を検出するための少なくとも1つのＤＲＸ構成を決定するために端末デバイスによって使用される。
【００７９】
従って、ネットワークデバイスは、複数のＤＲＸ構成を端末デバイスに送信し、前記複数のＤＲＸ構成は１つのＭＡＣエンティティに対して構成することができ、それにより、端末デバイスはこれらの複数のＤＲＸから適切なＤＲＸ構成を柔軟に選択でき、選択されたＤＲＸ構成に基づいてＰＤＣＣＨを検出することにより、端末デバイスの不連続伝送の性能を向上させ、端末デバイスの消費電力をさらに低減する。
【００８０】
オプションとして、前記複数のＤＲＸ構成における各ＤＲＸ構成は、少なくとも１つのリソース構成に対応し、前記少なくとも１つのリソース構成は、サービングセル構成、帯域幅部分（ＢＷＰ）構成、制御リソースセット（ＣＯＲＥＳＥＴ）構成及びサーチスペース構成のうちの少なくとも１つを含む。ここで、前記各ＤＲＸ構成及び前記各ＤＲＸ構成に対応するリソース構成は、前記端末デバイスが前記ＰＤＣＣＨを検出するために使用される。
【００８１】
オプションとして、前記各ＤＲＸ構成には、前記各ＤＲＸ構成に対応するリソース構成のインデックスが含まれる。
【００８２】
オプションとして、各リソース構成には、前記各リソース構成に対応するＤＲＸ構成のインデックスが含まれる。
【００８３】
オプションとして、前記方法は、前記ネットワークデバイスが、前記少なくとも１つのＤＲＸ構成を示すために使用される指示情報を前記端末デバイスに送信するステップをさらに含む。
【００８４】
オプションとして、前記指示情報は、下り制御情報（ＤＣＩ）、マルチアクセス制御制御要素（ＭＡＣ  ＣＥ）、又は無線リソース制御（ＲＲＣ）シグナリングで運ばれ得る。
【００８５】
オプションとして、前記各ＤＲＸ構成に対応する前記少なくとも１つのリソース構成は、同じサービングセルに属するＢＷＰ構成及び／又は異なるサービングセルに属するＢＷＰ構成を含む。及び／又は、前記少なくとも１つのリソース構成は、同じＢＷＰに属するＣＯＲＥＳＥＴ構成及び/又は異なるＢＷＰに属するＣＯＲＥＳＥＴ構成を含む。及び/又は、前記少なくとも1つのリソース構成は、同じＢＷＰに属するサーチスペース構成及び/又は異なるＢＷＰに属するサーチスペース構成を含む。
【００８６】
オプションとして、前記各ＤＲＸ構成には、ＤＲＸ持続時間タイマー、ＤＲＸスロットオフセット、ＤＲＸ開始時間オフセット、ＤＲＸ非アクティブタイマー、ＤＲＸ上り再送信タイマー、ＤＲＸ下り再送信タイマー、ＤＲＸロングサイクル、ＤＲＸショートサイクル、ＤＲＸショートサイクルタイマー、ＤＲＸ上りハイブリッド自動再送（ＨＡＲＱ）往復時間（ＲＴＴ）タイマー、ＤＲＸ下りＨＡＲＱ−ＲＴＴタイマー、及び競合解決タイマーのうちの少なくとも１つが含まれる。
【００８７】
なお、矛盾のない限り、本出願に記載の各実施例及び／又は各実施例の技術的特徴は、互いに任意に組み合わせることができ、組み合わせから得られる技術的解決策も本出願の保護範囲内にある。
【００８８】
本出願の各実施例において、上記のプロセスのシーケンス番号は、実行順序を意味するものではなく、各プロセスの実行順序は、その機能および内部論理に従って決定されるべきであり、本出願の実施例の実施プロセスを限定するべきではないことを理解されたい。
【００８９】
本出願の実施例による通信方法は、上記に詳細に説明されている。本出願の実施例による装置は、図７から図１０に関連して以下に説明される。方法の実施例に記載されている技術的特徴は以下の装置の実施例に適用できる。
【００９０】
図６は、本出願の実施例による端末デバイス６００の概略ブロック図である。図６に示すように、端末デバイス６００は、処理ユニット６１０を含み、前記処理ユニット６１０は、
複数のＤＲＸ構成から少なくとも1つのＤＲＸ構成を決定し、
前記少なくとも1つのＤＲＸ構成に従って、物理下り制御チャネル（ＰＤＣＣＨ）を検出する。
【００９１】
従って、複数のＤＲＸ構成を設定し、前記複数のＤＲＸ構成は例えば同じＭＡＣエンティティに対して構成することができ、それにより、端末デバイスはこれらの複数のＤＲＸから適切なＤＲＸ構成を柔軟に選択でき、選択されたＤＲＸ構成に基づいてＰＤＣＣＨを検出することにより、端末デバイスの不連続伝送の性能を向上させ、端末デバイスの消費電力をさらに低減する。
【００９２】
オプションとして、前記複数のＤＲＸ構成は、同じマルチアクセス制御（ＭＡＣ）エンティティのために構成される。
【００９３】
オプションとして、前記複数のＤＲＸ構成における各ＤＲＸ構成は、少なくとも１つのリソース構成に対応し、前記少なくとも１つのリソース構成は、サービングセル構成、帯域幅部分（ＢＷＰ）構成、制御リソースセット（ＣＯＲＥＳＥＴ）構成及びサーチスペース構成のうちの少なくとも１つを含む。
【００９４】
ここで、前記処理ユニット６１０は、具体的に、前記各ＤＲＸ構成及び前記各ＤＲＸ構成に対応するリソース構成に従って前記ＰＤＣＣＨを検出するように構成される。
【００９５】
オプションとして、前記各ＤＲＸ構成には、前記各ＤＲＸ構成に対応するリソース構成のインデックスが含まれる。
【００９６】
オプションとして、前記各リソース構成には、前記各リソース構成に対応するＤＲＸ構成のインデックスが含まれる。
【００９７】
オプションとして、前記処理ユニット６１０は、具体的に、アクティブ化及び／又は非アクティブ化されたリソース構成に従って、前記少なくとも１つのＤＲＸ構成を決定するように構成される。ここで、前記少なくとも１つのＤＲＸ構成内の各ＤＲＸ構成に対応する前記少なくとも１つのリソース構成は、アクティブ化されたリソース構成を含み、非アクティブ化されたＤＲＸ構成を含まない。
【００９８】
オプションとして、前記処理ユニット６１０は、具体的に、前記ネットワークデバイスから受信した指示情報に従って前記少なくとも１つのＤＲＸ構成を決定するように構成される。ここで、前記指示情報は、アクティブ化及び／又は非アクティブ化されたＤＲＸ構成を示すために使用され、前記少なくとも１つのＤＲＸ構成は、アクティブ化されたＤＲＸ構成を含み、非アクティブ化されたＤＲＸ構成を含まない。
【００９９】
オプションとして、前記指示情報は、下り制御情報（ＤＣＩ）、マルチアクセス制御制御要素（ＭＡＣ  ＣＥ）、又は無線リソース制御（ＲＲＣ）シグナリングで運ばれる。
【０１００】
オプションとして、前記処理ユニット６１０はさらに、アクティブ化されたＤＲＸ構成に対応する第１のリソース構成をアクティブ化し、及び／又は、非アクティブ化されたＤＲＸ構成に対応する第２のリソース構成を非アクティブ化するように構成される。
【０１０１】
オプションとして、前記端末デバイスは、ネットワークデバイスによって送信された前記複数のＤＲＸ構成を受信するように構成された送受信ユニット６２０をさらに含む。又は、前記処理ユニット６１０はさらに、事前に前記端末デバイスに格納されている前記複数のＤＲＸ構成を取得するように構成される。
【０１０２】
オプションとして、前記各ＤＲＸ構成に対応する前記少なくとも１つのリソース構成は、同じサービングセルに属するＢＷＰ構成及び／又は異なるサービングセルに属するＢＷＰ構成を含む。及び／又は、前記少なくとも１つのリソース構成は、同じＢＷＰに属するＣＯＲＥＳＥＴ構成及び/又は異なるＢＷＰに属するＣＯＲＥＳＥＴ構成を含む。及び/又は、前記少なくとも1つのリソース構成は、同じＢＷＰに属するサーチスペース構成及び/又は異なるＢＷＰに属するサーチスペース構成を含む。
【０１０３】
オプションとして、前記各ＤＲＸ構成には、ＤＲＸ持続時間タイマー、ＤＲＸスロットオフセット、ＤＲＸ開始時間オフセット、ＤＲＸ非アクティブタイマー、ＤＲＸ上り再送信タイマー、ＤＲＸ下り再送信タイマー、ＤＲＸロングサイクル、ＤＲＸショートサイクル、ＤＲＸショートサイクルタイマー、ＤＲＸ上りハイブリッド自動再送（ＨＡＲＱ）往復時間（ＲＴＴ）タイマー、ＤＲＸ下りＨＡＲＱ−ＲＴＴタイマー、及び競合解決タイマーのうちの少なくとも１つのパラメータが含まれる。
【０１０４】
前記端末デバイス６００は、前述の方法３００において端末デバイスによって実行される対応する動作を実行することができ、簡潔にするために、詳細はここで再び説明されないことを理解されたい。
【０１０５】
図７は、本出願の実施例による端末装置７００の概略ブロック図である。図７に示されるように、前記ネットワークデバイス７００は、処理ユニット７１０と送受信ユニット７２０を含む。
【０１０６】
処理ユニット７１０は、複数のＤＲＸ構成を決定するように構成され、前記複数のＤＲＸ構成は、物理下り制御チャネル（ＰＤＣＣＨ）を検出するための少なくとも1つのＤＲＸ構成を決定するために端末デバイスによって使用される。
【０１０７】
送受信ユニット７２０は、前記処理ユニット７１０によって決定された前記複数のＤＲＸ構成を前記端末デバイスに送信するように構成される。
【０１０８】
従って、複数のＤＲＸ構成を端末デバイスに送信し、前記複数のＤＲＸ構成は１つのＭＡＣエンティティに対して構成することができ、それにより、端末デバイスはこれらの複数のＤＲＸから適切なＤＲＸ構成を柔軟に選択でき、選択されたＤＲＸ構成に基づいてＰＤＣＣＨを検出することにより、端末デバイスの不連続伝送の性能を向上させ、端末デバイスの消費電力をさらに低減する。
【０１０９】
オプションとして、前記複数のＤＲＸ構成は、同じマルチアクセス制御（ＭＡＣ）エンティティのために構成される。
【０１１０】
オプションとして、前記複数のＤＲＸ構成における各ＤＲＸ構成は、少なくとも１つのリソース構成に対応し、前記少なくとも１つのリソース構成は、サービングセル構成、帯域幅部分（ＢＷＰ）構成、制御リソースセット（ＣＯＲＥＳＥＴ）構成及びサーチスペース構成のうちの少なくとも１つを含む。
【０１１１】
ここで、前記各ＤＲＸ構成及び前記各ＤＲＸ構成に対応するリソース構成は、前記ＰＤＣＣＨを検出するために前記端末デバイスによって使用される。
【０１１２】
オプションとして、前記各ＤＲＸ構成には、前記各ＤＲＸ構成に対応するリソース構成のインデックスが含まれる。
【０１１３】
オプションとして、各リソース構成には、前記各リソース構成に対応するＤＲＸ構成のインデックスが含まれる。
【０１１４】
オプションとして、前記送受信ユニット７２０はまた、前記少なくとも１つのＤＲＸ構成を示すために使用される指示情報を前記端末デバイスに送信するように構成される。
【０１１５】
前記指示情報は、下り制御情報（ＤＣＩ）、マルチアクセス制御制御要素（ＭＡＣ  ＣＥ）、又は無線リソース制御（ＲＲＣ）シグナリングで運ばれる。
【０１１６】
オプションとして、前記各ＤＲＸ構成に対応する前記少なくとも１つのリソース構成は、同じサービングセルに属するＢＷＰ構成及び／又は異なるサービングセルに属するＢＷＰ構成を含む。及び／又は、前記少なくとも１つのリソース構成は、同じＢＷＰに属するＣＯＲＥＳＥＴ構成及び/又は異なるＢＷＰに属するＣＯＲＥＳＥＴ構成を含む。及び/又は、前記少なくとも1つのリソース構成は、同じＢＷＰに属するサーチスペース構成及び/又は異なるＢＷＰに属するサーチスペース構成を含む。
【０１１７】
オプションとして、前記各ＤＲＸ構成には、ＤＲＸ持続時間タイマー、ＤＲＸスロットオフセット、ＤＲＸ開始時間オフセット、ＤＲＸ非アクティブタイマー、ＤＲＸ上り再送信タイマー、ＤＲＸ下り再送信タイマー、ＤＲＸロングサイクル、ＤＲＸショートサイクル、ＤＲＸショートサイクルタイマー、ＤＲＸ上りハイブリッド自動再送（ＨＡＲＱ）往復時間（ＲＴＴ）タイマー、ＤＲＸ下りＨＡＲＱ−ＲＴＴタイマー、及び競合解決タイマーのうちの少なくとも１つのパラメータが含まれる。
【０１１８】
前記端末デバイス７００は、前述の方法５００においてネットワークデバイスによって実行される対応する動作を実行することができ、簡潔にするために、詳細はここで再び説明されないことを理解されたい。
【０１１９】
図８は、本出願の実施例によって提供される通信デバイス８００の概略構造図である。図８に示す通信デバイス８００はプロセッサ８１０を含み、プロセッサ８１０はメモリからコンピュータプログラムを呼び出して実行することで、本出願の実施例の方法を実現することができる。
【０１２０】
オプションとして、図８に示すように、通信デバイス８００はメモリ８２０をさらに含むことができる。ここで、プロセッサ８１０は、メモリ８２０からコンピュータプログラムを呼び出して実行することで、本出願の実施例の方法を実現することができる。
【０１２１】
ここで、メモリ８２０は、プロセッサ８１０から独立した個別のデバイスであってもよく、プロセッサ８１０に集積されてもよい。
【０１２２】
オプションとして、図８に示すように、通信デバイス８００はさらに送受信機８３０を含むことができ、プロセッサ８１０は他のデバイスと通信するように当該送受信機８３０を制御することができ、具体的には、他のデバイスに情報又はデータを送信したり、他のデバイスから送信された情報又はデータを受信することができる。
【０１２３】
ここで、送受信機８３０は、送信機及び受信機を含み得る。送受信機８３０は、アンテナをさらに含んでもよく、アンテナの数は、１つ以上であってもよい。
【０１２４】
オプションとして、当該通信デバイス８００は、本出願の実施例における端末デバイスであってもよく、かつ、当該通信デバイス８００は、本出願の実施例の各方法における端末デバイスによって実行される対応するフローを実装できる。簡潔にするために、ここでは繰り返さない。
【０１２５】
オプションとして、当該通信デバイス８００は、本出願の実施例におけるネットワークデバイスであってもよく、かつ、当該通信デバイス８００は、本出願の実施例の各方法におけるネットワークデバイスによって実行される対応するフローを実装できる。簡潔にするために、ここでは繰り返さない。
【０１２６】
図９は、本出願の実施例のチップの概略構成図である。図９に示すチップ９００は、プロセッサ９１０を含み、プロセッサ９１０は、メモリからコンピュータプログラムを呼び出して実行することで、本出願の実施例の方法を実現することができる。
【０１２７】
オプションとして、図９に示すように、チップ９００はさらにメモリ９２０を含むことができる。ここで、プロセッサ９１０は、メモリ９２０からコンピュータプログラムを呼び出して実行することで、本出願の実施例における方法を実現することができる。
【０１２８】
ここで、メモリ９２０は、プロセッサ９１０から独立した個別のデバイスであってもよく、又はプロセッサ９１０に集積されてもよい。
【０１２９】
オプションとして、上記チップ９００は、入力インターフェース９３０をさらに含むことができる。ここで、プロセッサ９１０は、他のデバイス又はチップと通信するように上記入力インターフェース９３０を制御することができ、具体的には、他のデバイス又はチップによって送信された情報又はデータを取得することができる。
【０１３０】
オプションとして、上記チップ９００は、出力インターフェース９４０をさらに含むことができる。ここで、プロセッサ９１０は、他のデバイス又はチップと通信するように上記出力インターフェース９４０を制御することができ、具体的には、情報又はデータを他のデバイス又はチップに出力することができる。
【０１３１】
オプションとして、上記チップは、本出願の実施例における端末デバイスに適用されてもよく、かつ、上記チップは、本出願の実施例の各方法における端末デバイスによって実行される対応するフローを実装できる。簡潔にするために、ここでは繰り返さない。
【０１３２】
オプションとして、上記チップは、本出願の実施例におけるネットワークデバイスに適用されてもよく、かつ、上記チップは、本出願の実施例の各方法におけるネットワークデバイスによって実行される対応するフローを実装できる。簡潔にするために、ここでは繰り返さない。
【０１３３】
本出願の実施例で言及されるチップは、システムオンチップ、システムチップ、チップシステム、又はシステムオンチップのチップなどと呼ばれ得ることを理解されたい。
【０１３４】
本出願の実施例に係るプロセッサーは、信号処理能力のある集積回路チップであってもよいことを理解されたい。実装の過程では、上記方法の実施例の各ステップは、プロセッサーにおけるハードウェアの集積論理回路又はソフトウェアの形の命令により完了することができる。上記のプロセッサーは、汎用プロセッサー、デジタル信号プロセッサー（Digital  Signal  Processor，ＤＳＰ）、専用集積回路（Application  Specific  Integrated  Circuit，ＡＳＩＣ）、フィールドプログラマブルゲートアレイ（Field  Programmable  Gate  Array，ＦＰＧＡ）又は他のプログラマブル論理デバイス、ディスクリートゲート又はトランジスタ論理デバイス、ディスクリートハードウェアコンポーネントであってもよい。本出願の実施例において開示された各方法、ステップ、及び論理ブロック図を実現又は実行することができる。汎用プロセッサーはマイクロプロセッサーであってもよく、又は、上記プロセッサーはいずれかの通常のプロセッサー等であってもよい。本出願の実施例に結合して開示された方法のステップは、ハードウェアデコードプロセッサーにより実行されて完了するように直接具現化されるか、又はデコードプロセッサーにおけるハードウェア及びソフトウェアモジュールの組み合わせにより実行されて完了することができる。ソフトウェアモジュールは、ランダムアクセスメモリ、フラッシュメモリ、読み取り専用メモリ、プログラマブル読み取り専用メモリ、又は電気的に消去可能なプログラマブルメモリ、レジスタ等の本技術分野の成熟した記憶媒体に配置されることができる。上記記憶媒体はメモリに配置され、プロセッサーはメモリ内の情報を読み取り、そのハードウェアと組み合わせて上記の方法のステップを完了する。
【０１３５】
本出願の実施例におけるメモリは、揮発性メモリ又は不揮発性メモリであってもよく、又は揮発性及び不揮発性メモリの両方を含んでもよいことが理解される。ここで、不揮発性メモリは、読み取り専用メモリ（Read-Only  Memory，ＲＯＭ）、プログラマブル読み取り専用メモリ（Programmable  ROM，ＰＲＯＭ）、消去可能なプログラマブル読み取り専用メモリ（Erasable  PROM，ＥＰＲＯＭ）、電気的に消去可能なプログラマブル読み取り専用メモリ（Electrically  EPROM，ＥＥＰＲＯＭ）又はフラッシュメモリであってもよい。揮発性メモリは、外部キャッシュとして使用されるランダムアクセスメモリ（Random  Access  Memory，ＲＡＭ）であってもよい。限定ではなく例として、スタティックランダムアクセスメモリ（Static  RAM，ＳＲＡＭ）、ダイナミックランダムアクセスメモリ（Dynamic  RAM，ＤＲＡＭ）、同期ダイナミックランダムアクセスメモリ（Synchronous  DRAM，ＳＤＲＡＭ）、ダブルデータレート同期ダイナミックランダムアクセスメモリ（Double  Data  Rate  SDRAM，ＤＤＲ  ＳＤＲＡＭ）、拡張同期ダイナミックランダムアクセスメモリ（Enhanced  SDRAM，ＥＳＤＲＡＭ）、同期接続ダイナミックランダムアクセスメモリ（Synchlink  DRAM，ＳＬＤＲＡＭ）、及びダイレクトメモリバスランダムアクセスメモリ（Direct  Rambus  RAM，ＤＲ  ＲＡＭ）等の多くの形式のＲＡＭが利用可能である。本明細書で説明されるシステム及び方法のメモリは、これら及び任意の他の適切なタイプのメモリを含むことが意図されているが、これらに限定されないことに留意されたい。
【０１３６】
上記メモリは限定ではなく示例的なものであることを理解されたい。例えば、本願の実施例のメモリは、スタティックランダムアクセスメモリ（Static  RAM，ＳＲＡＭ）、ダイナミックランダムアクセスメモリ（Dynamic  RAM，ＤＲＡＭ）、同期ダイナミックランダムアクセスメモリ（Synchronous  DRAM，ＳＤＲＡＭ）、ダブルデータレート同期ダイナミックランダムアクセスメモリ（Double  Data  Rate  SDRAM，ＤＤＲ  ＳＤＲＡＭ）、拡張同期ダイナミックランダムアクセスメモリ（Enhanced  SDRAM，ＥＳＤＲＡＭ）、同期接続ダイナミックランダムアクセスメモリ（Synchlink  DRAM，ＳＬＤＲＡＭ）、及びダイレクトメモリバスランダムアクセスメモリ（Direct  Rambus  RAM，ＤＲ  ＲＡＭ）等であってもよい。つまり、本願の実施例のメモリは、これら及び任意の他の適切なタイプのメモリを含むことが意図されているが、これらに限定されない。
【０１３７】
図１０は、本出願の実施例による通信システム１０００の概略ブロック図である。図１０に示すように、この通信システム１０００は、端末デバイス１０１０とネットワークデバイス１０２０とを含む。
【０１３８】
前記端末デバイス１０１０は、複数のＤＲＸ構成から少なくとも１つのＤＲＸ構成を決定し、前記少なくとも１つのＤＲＸ構成に従ってＰＤＣＣＨを検出するように構成される。
【０１３９】
前記ネットワークデバイス１０２０は、複数のＤＲＸ構成を端末デバイスに送信するように構成され、複数のＤＲＸ構成は、物理下り制御チャネル（ＰＤＣＣＨ）を検出するための少なくとも１つのＤＲＸ構成を決定するために端末デバイスによって使用される。
【０１４０】
ここで、上記端末デバイス１０１０は、上記方法３００で端末デバイスによって実装される対応する機能を実現するために用いられてもよく、上記端末装置１０１０の構成は、図６の端末デバイス６００に示すようにすることができる。簡潔にするため、ここでは繰り返さない。
【０１４１】
ここで、上記ネットワークデバイス１０２０は、上記方法５００でネットワークデバイスによって実装される対応する機能を実現するために用いられてもよく、上記ネットワークデバイス１０２０の構成は、図７のネットワークデバイス７００に示すようにすることができる。簡潔にするため、ここでは繰り返さない。
【０１４２】
本出願の実施例はまた、コンピュータプログラムを記憶するためのコンピュータ読取可能な記憶媒体を提供する。オプションとして、上記コンピュータ読取可能な記憶媒体は、本出願の実施例におけるネットワークデバイスに適用でき、上記コンピュータプログラムは、本出願の実施例の各方法でネットワークデバイスによって実装される対応するフローをコンピュータに実行させる。簡潔にするため、ここでは繰り返さない。オプションとして、上記コンピュータ読取可能な記憶媒体は、本出願の実施例の端末デバイスに適用でき、上記コンピュータプログラムは、本出願の実施例の各方法で端末デバイスによって実装される対応するフローをコンピュータに実行させる。簡潔にするため、ここでは繰り返さない。
【０１４３】
本出願の実施例はまた、コンピュータプログラム命令を含むコンピュータプログラム製品を提供する。オプションとして、上記コンピュータプログラム製品は、本出願の実施例のネットワークデバイスに適用でき、上記コンピュータプログラム命令は、本出願の実施例の各方法でネットワークデバイスによって実装される対応するフローをコンピュータに実行させる。簡潔にするため、ここでは繰り返さない。オプションとして、上記コンピュータプログラム製品は、本出願の実施例の端末デバイスに適用でき、上記コンピュータプログラム命令は、本出願の実施例の各方法で端末デバイスによって実装される対応するフローをコンピュータに実行させる。簡潔にするため、ここでは繰り返さない。
【０１４４】
本出願の実施例はまた、コンピュータプログラムを提供する。オプションとして、上記コンピュータプログラムは、本出願の実施例におけるネットワークデバイスに適用でき、上記コンピュータプログラムがコンピュータ上で実行されると、本出願の実施例の各方法においてネットワークデバイスによって実装される対応するフローをコンピュータに実行させる。簡潔にするため、ここでは繰り返さない。オプションとして、上記コンピュータプログラムは、本出願の実施例における端末デバイスに適用でき、上記コンピュータプログラムがコンピュータ上で実行されると、本出願の実施例における各方法で端末デバイスによって実装される対応するフローをコンピュータに実行させる。簡潔にするため、ここでは繰り返さない。
【０１４５】
本明細書で、「システム」と「ネットワーク」という用語はしばしば互換的に使用されることを理解されたい。本明細書で使用される「及び／又は」という用語は、関連対象の関連関係を説明するだけであり、３種類の関係があり得ることを示す。例えば、Ａ及び/又はＢは、Ａが単独で存在する、ＡとＢが同時に存在する、Ｂが単独で存在する３つのケースを示すことができる。また、本明細書で使用される「／」の表記は、一般的に、この表記の前後の関連対象が「又は」の関係にあることを示す。
【０１４６】
また、本発明の実施例において、「Ａに対応するＢ」とは、ＢがＡに関連することを意味し、ＢはＡに従って決定できることも理解されたい。しかしながら、Ａに従ってＢを決定することは、ＢがＡのみに基づいて決定されることを意味するものではなく、Ｂは、Ａ及び／又は他の情報に基づいて決定することもできることも理解されたい。
【０１４７】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、解決策の特定のアプリケーション及び設計上の制約条件によって異なる。当業者であれば、特定の用途ごとに異なる方法を使用して記載された機能を実現できるが、このような実現が本発明の範囲を超えると考慮されるべきではない。
【０１４８】
当業者であれば、説明の便宜及び簡潔さのために、上述のシステム、装置、及びユニットの具体的な動作手順については、前述の方法の実施例における対応する手順を参照することができ、ここで繰り返さないことを理解することができる。
【０１４９】
本出願で提供された幾つかの実施例において、開示されたシステム、装置及び方法は、他の方式で実現されてもよいことを理解されたい。例えば、上述のような装置の実施例は、単なる例にすぎず、例えば、上記ユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は検討された相互間の結合又は直接的な結合又は通信接続は、幾つかのインターフェイスを介してもよく、装置又はユニットによる間接的な結合又は通信接続は、電気的、機械的、又は他の形態であってもよい。
【０１５０】
前記分離部材として説明されたユニットは、物理的に分離されてもよく、物理的に分離されなくてもよく、ユニットとして示された部材は、物理的なユニットであってもよく、物理的なユニットでなくてもよく、つまり、あるところに位置してもよく、複数のネットワークユニット上に分散されてもよい。実際の需要に応じて、一部又は全部のユニットを選択し、本実施例の解決策の目的を実現することができる。
【０１５１】
なお、本出願の各実施例に係る各機能ユニットは、１つの処理ユニットに集積されていてもよく、各ユニットが単独に物理的に存在していてもよく、２つ又は２つ以上のユニットが１つのユニットに集積されていてもよい。
【０１５２】
前記機能がソフトウェア機能ユニットの形で実現され、且つ独立した製品として販売又は使用される場合には、１つのコンピュータ読み取り可能な記憶媒体に格納されることができる。このような理解に基づき、本出願の技術手段は本質的に、従来技術に貢献した部分又は前記技術手段の一部がソフトウェア製品の形で具現化されることができ、前記コンピュータソフトウェア製品は、１つの記憶媒体に格納され、１台のコンピュータデバイス（パーソナルコンピュータ、サーバ、又はネットワークデバイス等であってもよい）に本発明の各実施例に記載の方法のステップの全部又は一部を実行させる命令を若干備える。前述の記憶媒体は、ＵＳＢメモリ、モバイルハードディスク、読み取り専用メモリ（Read-Only  Memory，ＲＯＭ）、ランダムアクセスメモリ（Random  Access  Memory，ＲＡＭ）、磁気ディスク、又は光ディスク等のプログラムコードを格納可能な様々な媒体を含む。
【０１５３】
以上は、本出願の好ましい実施例にすぎず、本出願の保護範囲はこれらに限定されない。この技術分野の当業者であれば、いずれも本出願に提示された技術範囲内で、変更又は置き換えを行うことを容易に想到でき、このような変更又は置き換えはいずれも本出願の保護範囲に含まれるべきである。従って、本出願の保護範囲は、請求項の保護範囲に従うべきである。
【図１】
2022501869.tif 000007
【図２】
2022501869.tif 000008
【図３】
2022501869.tif 000009
【図４】
2022501869.tif 000010
【図５】
2022501869.tif 000011
【図６】
2022501869.tif 000012
【図７】
2022501869.tif 000013
【図８】
2022501869.tif 000014
【図９】
2022501869.tif 000015
【図１０】
2022501869.tif 000016
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
端末デバイスが複数の不連続伝送（ＤＲＸ）構成から少なくとも1つのＤＲＸ構成を決定するステップと、
前記端末デバイスが前記少なくとも1つのＤＲＸ構成に従って物理下り制御チャネル（ＰＤＣＣＨ）を検出するステップを含む
ことを特徴とするＤＲＸの方法。
【請求項２】
前記複数のＤＲＸ構成は、同じマルチアクセス制御（ＭＡＣ）エンティティのために構成されている
ことを特徴とする請求項１に記載の方法。
【請求項３】
前記複数のＤＲＸ構成における各ＤＲＸ構成は、少なくとも１つのリソース構成に対応し、前記少なくとも１つのリソース構成は、サービングセル構成、帯域幅部分（ＢＷＰ）構成、制御リソースセット（ＣＯＲＥＳＥＴ）構成及びサーチスペース構成のうちの少なくとも１つを含み、
前記端末デバイスが前記少なくとも1つのＤＲＸ構成に従ってＰＤＣＣＨを検出するステップは、
前記端末デバイスが、前記各ＤＲＸ構成及び前記各ＤＲＸ構成に対応するリソース構成に従って前記ＰＤＣＣＨを検出するステップを含む
ことを特徴とする請求項1又は２に記載の方法。
【請求項４】
前記各ＤＲＸ構成には、前記各ＤＲＸ構成に対応するリソース構成のインデックスが含まれる
ことを特徴とする請求項３に記載の方法。
【請求項５】
前記各リソース構成には、前記各リソース構成に対応するＤＲＸ構成のインデックスが含まれる
ことを特徴とする請求項３又は４に記載の方法。
【請求項６】
前記端末デバイスが複数のＤＲＸ構成から少なくとも1つのＤＲＸ構成を決定するステップは、
前記端末デバイスが、アクティブ化及び／又は非アクティブ化されたリソース構成に従って、前記少なくとも１つのＤＲＸ構成を決定するステップを含み、前記少なくとも１つのＤＲＸ構成における各ＤＲＸ構成に対応する前記少なくとも１つのリソース構成は、アクティブ化されたリソース構成を含み、非アクティブ化されたリソース構成を含まない
ことを特徴とする請求項３から５のいずれか一項に記載の方法。
【請求項７】
前記端末デバイスが複数のＤＲＸ構成から少なくとも1つのＤＲＸ構成を決定するステップは、
前記端末デバイスが前記ネットワークデバイスから受信した指示情報に従って、前記少なくとも１つのＤＲＸ構成を決定するステップを含み、前記指示情報はアクティブ化及び／又は非アクティブ化されたＤＲＸ構成を示すために使用され、前記少なくとも１つのＤＲＸ構成は、アクティブ化されたＤＲＸ構成を含み、非アクティブ化されたＤＲＸ構成を含まない
ことを特徴とする請求項３から５のいずれか一項に記載の方法。
【請求項８】
前記指示情報は、下り制御情報（ＤＣＩ）、マルチアクセス制御制御要素（ＭＡＣ  ＣＥ）、又は無線リソース制御（ＲＲＣ）シグナリングで運ばれる
ことを特徴とする請求項７に記載の方法。
【請求項９】
前記端末デバイスが、アクティブ化されたＤＲＸ構成に対応する第１のリソース構成をアクティブ化するステップと、
前記端末デバイスが、非アクティブ化されたＤＲＸ構成に対応する第２のリソース構成を非アクティブ化するステップのうちの少なくとも１つのステップをさらに含む
ことを特徴とする請求項７又は８に記載の方法。
【請求項１０】
前記端末デバイスが、ネットワークデバイスによって送信された前記複数のＤＲＸ構成を受信するステップ、又は
前記端末デバイスが、事前に前記端末デバイスに格納されている前記複数のＤＲＸ構成を取得するステップをさらに含む
ことを特徴とする請求項１から９のいずれか一項に記載の方法。
【請求項１１】
前記各ＤＲＸ構成には、ＤＲＸ持続時間タイマー、ＤＲＸスロットオフセット、ＤＲＸ開始時間オフセット、ＤＲＸ非アクティブタイマー、ＤＲＸ上り再送信タイマー、ＤＲＸ下り再送信タイマー、ＤＲＸロングサイクル、ＤＲＸショートサイクル、ＤＲＸショートサイクルタイマー、ＤＲＸ上りハイブリッド自動再送（ＨＡＲＱ）往復時間（ＲＴＴ）タイマー、ＤＲＸ下りＨＡＲＱ−ＲＴＴタイマー、及び競合解決タイマーのうちの少なくとも１つのパラメータが含まれる
ことを特徴とする請求項１から１０のいずれか一項に記載の方法。
【請求項１２】
ネットワークデバイスが複数の不連続伝送（ＤＲＸ）構成を端末デバイスに送信するステップを含み、
前記複数のＤＲＸ構成は、物理下り制御チャネル（ＰＤＣＣＨ）を検出するための少なくとも1つのＤＲＸ構成を決定するために前記端末デバイスによって使用される
ことを特徴とするＤＲＸの方法。
【請求項１３】
前記各ＤＲＸ構成に対応する前記少なくとも１つのリソース構成は、同じサービングセルに属するＢＷＰ構成及び／又は異なるサービングセルに属するＢＷＰ構成を含み、及び／又は
前記少なくとも１つのリソース構成は、同じＢＷＰに属するＣＯＲＥＳＥＴ構成及び/又は異なるＢＷＰに属するＣＯＲＥＳＥＴ構成を含み、及び/又は
前記少なくとも1つのリソース構成は、同じＢＷＰに属するサーチスペース構成及び/又は異なるＢＷＰに属するサーチスペース構成を含む
ことを特徴とする請求項１２に記載の方法。
【請求項１４】
請求項１から１１のいずれか一項に記載の方法を実行するように構成される端末デバイス。
【請求項１５】
請求項１２又は１３に記載の方法を実行するように構成されるネットワークデバイス。
【国際調査報告】
2022501869.tif 000017
2022501869.tif 000018
2022501869.tif 000019
2022501869.tif 000020